(57)【要約】      （修正有）【課題】パソコン及びマイコン機器の長所を備える機器と機能を実現する。【解決手段】パソコンやマイコン機器を使用せず、プログラマブルコントローラ（以後、ＰＬＣ１）を使用することにより、センサ等の接点信号を取得しニーズに合わせた条件による処理を行わせることで、ＰＬＣ１から直接インターネットを利用し、メールを配信すること、取得されたデータを編集し、ネットワーク接続されたＷＥＢサーバに対して、ＦＴＰサーバ機能やＦＴＰクライアント機能を使用することで、編集されたデータを転送させる。ＷＥＢサーバ２０、２１では、自動的にＷＥＢ化された監視通報情報を配信提供する。【選択図】図１
2011198338.tif 000002
【特許請求の範囲】
【請求項１】
医療介護施設や防犯セキュリティにおけるセンサ等の接点信号を取得し、監視情報データを生成後にインターネットを利用した配信を行うシステムに対し、プログラマブルコントローラを使用し、「シーケンス制御機能」「演算機能」「情報処理機能」「ネットワーク機能」「プログラミング機能」「記憶機能」「連続稼働耐久性能」を活用するビジネス方法。
【請求項２】
プログラマブルコントローラを使用することによるメール配信機能、及び、プログラマブルコントローラによるＦＴＰサーバ機能、ＦＴＰクライアント機能を活用するビジネス方法。
【請求項３】
ＷＥＢサーバは、請求項１及び請求項２に記載する機能や性能を活用し生成した監視情報データを使用することで、監視情報用ＷＥＢ画面を自動生成させ、ユーザーに対し情報提供することを特徴とするビジネス方法。
【発明の詳細な説明】
【技術分野】
【０００１】  本発明は、医療介護や防犯における設備のセンサにて検知された信号を監視通報するシステム（以後、監視通報システム）において、パーソナルコンピュータ（以後、パソコン）を使用せず、プログラマブルコントローラ（以後、ＰＬＣ）を使用し、インターネットを利用したメール配信及びデータ配信を行うことを特徴とするセンサ検知信号監視通報システムを実現するビジネス方法に関する。
【背景技術】
【０００２】  従来の監視通報システムのインターネットへのメール配信やデータ配信は、パソコンを使用した形態が多く、熱によるシステム停止やハードディスクの不具合による停止等の課題が多くあるが、パソコンを使用しプログラムを動作させることは一般的で確立された方法である。【０００３】  また、マイコン機器を使用した方法の場合、使用条件がある程度固定化されるため、様々な条件に対応できず、ニーズに対し適切に対応できていない現状がある。【０００４】  これらの改善としては、パソコンのように柔軟に条件処理及びデータ配信処理ができることと、マイコン機器のように連続稼働条件下でも強い機器を使用する必要があり、実現するためには以下の機能や性能を活用することが挙げられる。【０００５】  「シーケンス制御機能」：センサにて検知された信号を定められた手順に従い、段階毎の制御を行う。【０００６】  「演算機能」：四則演算、比較演算、論理演算等の計算処理を行う。【０００７】  「情報処理機能」：センサにて検知された信号の情報を加工し、新たに付加価値情報を作り出す。【０００８】  「ネットワーク機能」：ネットワーク用機器や回線を使用し、作り出された付加価値情報や必要とする情報を送受信する。また、ＦＴＰサーバ機能及びＦＴＰクライアント機能による送受信を行う。【０００９】  「プログラミング機能」：ニーズに合わせた手順を柔軟に処理できるように、容易に条件変更が可能とする。【００１０】  「記憶機能」：ＲＡＭや不揮発性メモリを使用することで、環境条件での信頼性向上を図る。【００１１】  「連続稼働耐久性能」：２４時間連続稼働させた際に、安定した動作ができる。
【発明の概要】
【発明が解決しようとする課題】
【００１２】  パソコンを使用した場合、ニーズに合わせたプログラミングによる条件処理及び配信処理が可能であるが、環境条件によるパソコン動作の信頼性低下が発生する。また、マイコン機器を使用した場合、環境条件による動作は安定性が認められるが、ニーズに合わせたプログラミングによる条件処理及び配信処理が固定的なものとなる。【００１３】  パソコン及びマイコン機器の長所短所を走査することによる、両者の長所を備える機器と機能が必要となっており、本発明はこれを実現することを目的とする。【００１４】  既存の医療介護や防犯設備における処理については、パソコンまたはマイコン機器によるビジネス方法であるため、本発明のビジネス方法は見当たらない。
【課題を解決するための手段】
【００１５】  上記目的を達成するため、「シーケンス制御機能」「演算機能」「情報処理機能」「ネットワーク機能」「プログラミング機能」「記憶機能」「連続稼働耐久性能」を併せ持ち、環境条件による動作が安定する機器の活用としてＰＬＣを使用するビジネス方法である。【００１６】  ＰＬＣに対し、医療介護や防犯における設備のセンサにて検知された信号を入力させ、各信号に合わせた条件により指定された処理を行い監視通報データを作り出し、ネットワークを利用し指定された処理を実施する。指定された処理とは以下の処理である。【００１７】  指定された条件における監視通報データのメール配信処理、指定された条件における監視通報データの指定された機器へのデータ伝送処理、指定された条件における監視通報データの指定された対象への記憶処理、指定された条件における監視通報データの可視化処理である。
【発明の効果】
【００１８】  上記の発明を使用することにより、医療介護や防犯における設備に対し、多様な条件による判定が可能となり、判定結果に対する処理についても多様化することができる。【００１９】  これまでの限定された使用方法と結果ではなく、ニーズに合わせた使用方法と、ユーザーが求める情報を提供することができる。
【発明を実施するための形態】
【００２０】  以下は、図面を参照し、本発明を詳細説明する。
図１はＰＬＣを使用した場合のシステムの概略図であり、図２は処理に関するハードウェアの詳細である。使用する施設や建物内にて使用される各種センサ群（１００，１０１，１０２）の検知信号を、１のデジタル入力部（以後、ＤＩ）にて取り込み、この検知信号を１にプログラミングされた条件に従い処理及び配信を行う。
【００２１】  配信については、１のデジタル出力部（以後、ＤＯ）にて各種通報群（１１０，１１１，１１２）に対し、通報用のデジタル信号を配信する。
【００２２】  また、イーサネット（登録商標）モジュールを利用しネットワーク接続機器を介し、３０へのメール配信及び２０との監視通報データの送受信を行う。
【００２３】  メール配信については、１の記憶部に保存されたメールアドレスへ前記記憶部に保存された指定文を判定に合わせて配信する。
【００２４】  監視通報データ送受信については、１の処理部にて判定処理され作成された監視通報データを２０へ状態変化のタイミングで送受信する。また、ＦＴＰサーバ及びＦＴＰクライアント機能を１に持たせることで、２０や２１との監視通報データのやり取りをデータファイルＣＳＶ形式にて行い、処理の円滑化を図る。
【００２５】  ２０及び２１は、監視通報データを使用しＷＥＢ画面を生成する機能を有し、３０及び４０に対しＷＥＢによる情報提供を行う。
【００２６】  図３はＷＥＢサーバシステム図である。２０は監視通報データの履歴情報を生成し、記憶部に保存する機能を有し、必要に応じて４０に対しＷＥＢ画面にて情報提供を行う。
【００２７】  以上、本発明について実施形態に基づく説明を行った。本発明のビジネス方法は、説明された構成のみに限定されず、種種の修正や変更を行うものも範囲内に含まれる。
【図面の簡単な説明】
【００２８】
【図１】本発明のシステム概略図
【図２】図１に示されたシステムの処理に関するハードウェア構成図
【図３】図１に示されたシステムのＷＥＢサーバシステム構成図
【図４】動作に関するフローチャート
【符号の説明】１：ＰＬＣ
２０：ＷＥＢサーバ
２１：外部ＷＥＢサーバ
３０：携帯電話
４０：パソコン
１００：動体センサ検知器
１０１：火災センサ検知器
１０２：緊急通報検知器
１１０：ＬＥＤ通報器
１１１：音声通報器
１１２：警報器
【図１】
2011198338.tif 000003
【図２】
2011198338.tif 000004
【図３】
2011198338.tif 000005
【図４】
2011198338.tif 000006